(57)【要約】【課題】シリンダー錠に対するキーの抜差しが容易で、前枠及びガラス扉の解錠及び施錠が容易である遊技機における施錠装置を提供すること。【解決手段】パチンコ遊技機１における施錠装置３は、カギ穴回動部４２を有するシリンダー錠４と、前枠２１及びガラス扉２２の施錠及び解錠が可能なロック機構５とを有してなる。カギ穴回動部４２は、初期位置４００にあるときにキー４３の抜差しが可能で、ロック機構５に係合する回動カム６を有している。回動カム６は、カム付勢手段７により、カギ穴回動部４２が初期位置４００に復帰するよう直接回動付勢されている。ロック機構５は、カギ穴回動部４２が初期位置４００にあるときに前枠２１とガラス扉２２との施錠をし、キー４３を第１方向４０１に回したときには前枠２１の解錠を行い、キー４３を第２方向４０２に回したときにはガラス扉２２の解錠を行うよう構成されている。【選択図】図６
2005027888.tif 000002
【特許請求の範囲】
【請求項１】
キーを差し込んで操作するシリンダー錠と、遊技機に開閉可能に配設した第１の扉と第２の扉との施錠及び解錠を上記シリンダー錠の操作状態に応じて行うロック機構とを有してなる遊技機における施錠装置において、
上記シリンダー錠は、シリンダー本体部と、上記キーを差し込むカギ穴を設け、該カギ穴に上記キーを差し込んで回すことにより上記シリンダー本体部に対して回動可能であるカギ穴回動部とを有しており、
上記カギ穴回動部は、その回動方向における初期位置にあるときに上記キーを上記カギ穴に抜差し可能であると共に、上記カギ穴を設けた端部とは反対側の端部には、上記ロック機構に係合する回動カムを有しており、
上記回動カムは、該回動カムを直接付勢するよう設けたカム付勢手段により、上記カギ穴回動部が上記初期位置に復帰するよう回動付勢されており、
上記ロック機構は、上記カギ穴回動部が上記初期位置にあるときに、上記第１の扉と上記第２の扉との施錠が可能であり、
かつ上記ロック機構は、上記カギ穴に差し込んだ上記キーを第１方向に回したときには、上記回動カムが上記カム付勢手段による付勢力に抗して回動することにより、上記第１の扉の解錠をし、
上記カギ穴に差し込んだ上記キーを上記第１方向とは逆の第２方向に回したときには、上記回動カムが上記カム付勢手段による付勢力に抗して回動することにより、上記第２の扉の解錠をするよう構成されていることを特徴とする遊技機における施錠装置。
【請求項２】
請求項１において、上記ロック機構は、固定部材と、該固定部材に対して移動可能に設けて上記第１の扉の施錠が可能である第１ロック部材と、上記固定部材に対して移動可能に設けて上記第２の扉の施錠が可能である第２ロック部材と、上記回動カムに係合して上記固定部材に対してスライドすることにより、上記第１ロック部材と上記第２ロック部材とによる解錠が可能であるロック解除部材とを有しており、
上記第１ロック部材は、第１ロック付勢手段により上記第１の扉を施錠する方向に付勢されていると共に、上記第２ロック部材は、第２ロック付勢手段により上記第２の扉を施錠する方向に付勢されており、
上記回動カムは、上記カギ穴に差し込んだ上記キーを上記第１方向に回したときに、上記ロック解除部材に係合して該ロック解除部材を一方のスライド方向である第１スライド方向にスライドさせる第１係合爪と、上記カギ穴に差し込んだ上記キーを上記第２方向に回したときに、上記ロック解除部材に係合して該ロック解除部材を上記第１スライド方向とは逆の第２スライド方向にスライドさせる第２係合爪とを有しており、
上記ロック解除部材は、上記シリンダー錠の上記カギ穴回動部が上記初期位置にあるときには、上記第１係合爪及び上記第２係合爪と係合しておらず、上記キーによらずにスライド可能であり、
かつ上記ロック解除部材は、上記第１スライド方向にスライドしたときには、上記第１ロック部材を上記第１ロック付勢手段による付勢力に抗して移動させて、上記第１の扉の解錠をし、
一方、上記第２スライド方向にスライドしたときには、上記第２ロック部材を上記第２ロック付勢手段による付勢力に抗して移動させて、上記第２の扉の解錠をするよう構成されていることを特徴とする遊技機における施錠装置。
【請求項３】
請求項１又は２において、上記カム付勢手段は、ねじりバネであり、該ねじりバネは、拡径又は縮径するようねじられることによって、上記第１方向又は上記第２方向のいずれの方向にも回動した上記回動カムを上記カギ穴回動部が上記初期位置に復帰するよう回動付勢していることを特徴とする遊技機における施錠装置。
【請求項４】
請求項１〜３のいずれか一項において、上記第１の扉は、パチンコ遊技機における外枠の前面側に開閉可能に配設した前枠であると共に、上記第２の扉は、上記前枠の前面側に開閉可能に配設したガラス扉であり、上記施錠装置は、上記前枠に配設したことを特徴とする遊技機における施錠装置。
【発明の詳細な説明】
【技術分野】
【０００１】
本発明は、パチンコ遊技機、アレンジボール遊技機、又は現金もしくはカード等の支払い代価に応じて交換したメダルもしくは遊技球等を使用するスロットマシン等の遊技機において、開閉可能に配設した２つの扉の施錠及び解錠を行うことができる遊技機の施錠装置に関する。
【背景技術】
【０００２】
例えば、パチンコ遊技機においては、外枠に対して、遊技領域を備えた遊技盤を配設した前枠を開閉可能にし、また、この前枠に対して、ガラス板を備えたガラス扉を開閉可能にしている。そして、上記前枠を開けることによって制御装置等のメンテナンスを行い、上記ガラス扉を開けることによって遊技盤等のメンテナンスを行っている。
また、上記前枠及びガラス扉は、パチンコ遊技機の管理者が操作してあけることができる一方、パチンコ遊技を行う遊技者は開けることができないよう施錠装置を用いて施錠している。
【０００３】
このようなパチンコ遊技機における施錠装置としては、例えば特許文献１に示すものがある。この特許文献１においては、上記前枠とガラス扉との両者を１つの施錠装置で施錠することができるよう工夫を行っている。
すなわち、特許文献１においては、前枠に固定するための基枠体に、摺動可能な連結杆と、この連結杆に連結されて前枠及びガラス扉をそれぞれ施錠する鉤部材とを設けている。そして、シリンダー錠にキーを差し込んでこれを一方向に回したときには、シリンダー錠に設けたカム板が上記連結杆に係合して上記前枠を解錠し、シリンダー錠を反対方向に回したときには、カム板が連結杆に係合して上記ガラス扉を解錠する。また、特許文献１においては、コイルばねが連結杆を付勢することによって、前枠及びガラス扉の施錠状態を維持している。
【特許文献１】特許第２９１６７４３号公報
【発明の開示】
【発明が解決しようとする課題】
【０００４】
ところで、上記シリンダー錠には、これに上記キーを抜差し可能な初期位置があり、シリンダー錠が初期位置からずれた位置にあるときにはキーの抜差しができない。また、上記施錠装置は、上記シリンダー錠におけるキー操作によらずに、上記連結杆を摺動させて前枠又はガラス扉の解錠を行うことができるようにもしている。そのため、上記特許文献１においては、上記各鉤部材が施錠を行った状態では、カム板と連結杆とを係合させないようにしており、この状態においては、カム板と連結杆とが離れている。
【０００５】
そのため、シリンダー錠に差し込んだキーを操作して前枠又はガラス扉を解錠した後には、連結杆は上記コイルばねによって元の施錠を行う位置に復帰するものの、シリンダー錠及びカム板は完全には元の初期位置に復帰しない。
そのため、管理者は、上記キーによりシリンダー錠を操作して解錠を行った後には、このキーを必ず元の初期位置まで意識して回して復帰させてから抜き出す必要がある。
【０００６】
本発明は、かかる従来の問題点に鑑みてなされたもので、シリンダー錠に対してキーを抜差しすることが容易であり、第１の扉及び第２の扉の解錠及び施錠を容易に行うことができる遊技機における施錠装置を提供しようとするものである。
【課題を解決するための手段】
【０００７】
本発明は、キーを差し込んで操作するシリンダー錠と、遊技機に開閉可能に配設した第１の扉と第２の扉との施錠及び解錠を上記シリンダー錠の操作状態に応じて行うロック機構とを有してなる遊技機における施錠装置において、
上記シリンダー錠は、シリンダー本体部と、上記キーを差し込むカギ穴を設け、該カギ穴に上記キーを差し込んで回すことにより上記シリンダー本体部に対して回動可能であるカギ穴回動部とを有しており、
上記カギ穴回動部は、その回動方向における初期位置にあるときに上記キーを上記カギ穴に抜差し可能であると共に、上記カギ穴を設けた端部とは反対側の端部には、上記ロック機構に係合する回動カムを有しており、
上記回動カムは、該回動カムを直接付勢するよう設けたカム付勢手段により、上記カギ穴回動部が上記初期位置に復帰するよう回動付勢されており、
上記ロック機構は、上記カギ穴回動部が上記初期位置にあるときに、上記第１の扉と上記第２の扉との施錠が可能であり、
かつ上記ロック機構は、上記カギ穴に差し込んだ上記キーを第１方向に回したときには、上記回動カムが上記カム付勢手段による付勢力に抗して回動することにより、上記第１の扉の解錠をし、
上記カギ穴に差し込んだ上記キーを上記第１方向とは逆の第２方向に回したときには、上記回動カムが上記カム付勢手段による付勢力に抗して回動することにより、上記第２の扉の解錠をするよう構成されていることを特徴とする遊技機における施錠装置にある（請求項１）。
【０００８】
本発明の遊技機における施錠装置は、上記キーを差し込んで操作するシリンダー錠と、上記第１の扉と第２の扉との施錠及び解錠が可能なロック機構とを有している。また、シリンダー錠のカギ穴回動部は、上記ロック機構に係合する回動カムを有している。
そして、上記第１の扉と第２の扉とを施錠した状態においては、上記回動カムは、上記カム付勢手段によって上記初期位置に回動付勢されている。そのため、遊技機の管理者が上記カギ穴回動部におけるカギ穴にキーを差し込むときには、このカギ穴回動部は常に初期位置にある。そのため、管理者は、上記カギ穴にキーを簡単に差し込むことができる。
【０００９】
そして、管理者が、上記カギ穴に差し込んだキーを上記第１方向に回したときには、カギ穴回動部に設けた回動カムが上記カム付勢手段による付勢力に抗して回動し、上記ロック機構によって上記第１の扉の解錠を行い、メンテナンス等を行うことができる。また、これと同様に、管理者が、上記カギ穴に差し込んだキーを上記第２方向に回したときには、上記ロック機構によって上記第２の扉の解錠を行い、メンテナンス等を行うことができる。
【００１０】
そして、上記メンテナンス等を行った後には、管理者が上記キーを回してカギ穴回動部を初期位置に戻さなくても、カム付勢手段の回動付勢力により、カギ穴回動部を確実に元の初期位置に復帰させることができる。そのため、管理者は、上記カギ穴からキーを簡単に抜き出すことができる。
そして、その後、上記ロック機構は、上記第１の扉又は第２の扉を閉じることによりこれらの施錠を行うことができる。
【００１１】
このように、本発明においては、上記カム付勢手段が上記回動カムを直接回動付勢していることにより、上記カギ穴回動部を回動させた後にはこれを確実に元の初期位置に復帰させることができ、このカギ穴回動部を確実に上記キーの抜き差しが可能な初期位置に維持しておくことができる。
それ故、本発明によれば、上記シリンダー錠に対して上記キーを抜差しすることが容易であり、上記第１の扉及び第２の扉の解錠及び施錠を容易に行うことができる。
【発明を実施するための最良の形態】
【００１２】
上述した本発明における好ましい実施の形態につき説明する。
本発明において、上記カム付勢手段は、上記回動カムに直接取り付けることができ、また、上記カギ穴回動部に直接取り付けることもできる。また、上記カム付勢手段は、上記回動カムに移動不能に固定された部材に取り付けることもでき、上記シリンダー錠の内部に設けることもできる。
【００１３】
また、上記ロック機構は、固定部材と、該固定部材に対して移動可能に設けて上記第１の扉の施錠が可能である第１ロック部材と、上記固定部材に対して移動可能に設けて上記第２の扉の施錠が可能である第２ロック部材と、上記回動カムに係合して上記固定部材に対してスライドすることにより、上記第１ロック部材と上記第２ロック部材とによる解錠が可能であるロック解除部材とを有しており、
上記第１ロック部材は、第１ロック付勢手段により上記第１の扉を施錠する方向に付勢されていると共に、上記第２ロック部材は、第２ロック付勢手段により上記第２の扉を施錠する方向に付勢されており、
上記回動カムは、上記カギ穴に差し込んだ上記キーを上記第１方向に回したときに、上記ロック解除部材に係合して該ロック解除部材を一方のスライド方向である第１スライド方向にスライドさせる第１係合爪と、上記カギ穴に差し込んだ上記キーを上記第２方向に回したときに、上記ロック解除部材に係合して該ロック解除部材を上記第１スライド方向とは逆の第２スライド方向にスライドさせる第２係合爪とを有しており、
上記ロック解除部材は、上記シリンダー錠の上記カギ穴回動部が上記初期位置にあるときには、上記第１係合爪及び上記第２係合爪と係合しておらず、上記キーによらずにスライド可能であり、
かつ上記ロック解除部材は、上記第１スライド方向にスライドしたときには、上記第１ロック部材を上記第１ロック付勢手段による付勢力に抗して移動させて、上記第１の扉の解錠をし、
一方、上記第２スライド方向にスライドしたときには、上記第２ロック部材を上記第２ロック付勢手段による付勢力に抗して移動させて、上記第２の扉の解錠をするよう構成されていることが好ましい（請求項２）。
【００１４】
この場合には、上記ロック機構は、上記第１ロック部材により上記第１の扉の施錠を行い、上記第２ロック部材により上記第２の扉の施錠を行うことができる。また、上記第１ロック付勢手段及び第２ロック付勢手段によって、第１ロック部材及び第２ロック部材を、それぞれ第１の扉及び第２の扉を施錠する方向に付勢しておくことにより、各扉の施錠状態を安定して維持することができる。
【００１５】
また、第１の扉を開けるときには、管理者が上記カギ穴に差し込んだキーを第１方向に回すことにより、上記回動カムの第１掛止爪が上記ロック解除部材に係合し、このロック解除部材によって上記第１ロック部材が移動して、第１の扉を開けることができる。一方で、第２の扉を開けるときには、管理者が上記カギ穴に差し込んだキーを第２方向に回すことにより、上記回動カムの第２掛止爪が上記ロック解除部材に係合し、このロック解除部材によって上記第２ロック部材が移動して、第２の扉を開けることができる。そのため、各扉の解錠が容易であり、各扉を容易に開けることができる。
【００１６】
また、上記ロック解除部材は、上記シリンダー錠のカギ穴回動部が上記初期位置にあるときには、上記第１係合爪及び第２係合爪と係合しておらず、上記キーによらずにスライド可能である。そのため、上記シリンダー錠におけるキー操作によらずに、遊技機の裏側からこの遊技機に設けたモータ等のアクチュエータの動作又は管理者の手動操作によって、上記ロック解除部材をスライドさせることもできる。
そのため、上記アクチュエータの動作又は管理者の手動操作によっても、上記各扉の解錠及び施錠を行うことが可能になる。
【００１７】
また、上記カム付勢手段は、ねじりバネであり、該ねじりバネは、拡径又は縮径するようねじられることによって、上記第１方向又は上記第２方向のいずれの方向にも回動した上記回動カムを上記カギ穴回動部が上記初期位置に復帰するよう回動付勢していることが好ましい（請求項３）。
この場合には、上記第１方向と第２方向との２つの方向にカギ穴回動部を回動付勢するために一対のバネを使用する必要がなく、上記ねじりバネが拡径又は縮径することによって、上記いずれの方向にもカギ穴回動部を回動付勢させることができる。そのため、カム付勢手段の構造を簡単にすることができ、このカム付勢手段を容易に設けることができる。
【００１８】
また、この場合以外にも、上記カム付勢手段は、種々のバネ部材を用いて構成することができる。例えば、カム付勢手段は、上記回動カムを直接付勢するよう設けた引張りバネにより構成することができる。
【００１９】
また、上記第１の扉は、パチンコ遊技機における外枠の前面側に開閉可能に配設した前枠であると共に、上記第２の扉は、上記前枠の前面側に開閉可能に配設したガラス扉であり、上記施錠装置は、上記前枠に配設したことが好ましい（請求項４）。
この場合には、上記優れた作用効果を有する施錠装置を上記パチンコ遊技機における前枠とガラス扉とに適用し、前枠とガラス扉との解錠及び施錠を容易に行うことができる。
【００２０】
また、この場合以外にも、上記第１の扉は、遊技機における種々の枠部材とすることができ、第２の扉は、上記枠部材に対して開閉可能に配設した種々の扉部材とすることができる。例えば、上記第１の扉は、パチンコ遊技機における上記前枠とすることができ、上記第２の扉は、上記前枠の前面側においてこの前枠に対して開閉可能に配設した球皿ユニットとすることができる。
【実施例】
【００２１】
以下に、図面を用いて本発明の遊技機における施錠装置にかかる実施例につき説明する。
図１〜図３に示すごとく、本例の遊技機としてのパチンコ遊技機１における施錠装置３は、キー４３を差し込んで操作するシリンダー錠４と、パチンコ遊技機１に開閉可能に配設した第１の扉としての前枠２１と第２の扉としてのガラス扉２２との施錠及び解錠を上記シリンダー錠４の操作状態に応じて行うロック機構５とを有してなる。
【００２２】
図４、図５に示すごとく、上記シリンダー錠４は、シリンダー本体部４１と、上記キー４３を差し込むカギ穴４２１を設け、このカギ穴４２１に上記キー４３を差し込んで回すことにより上記シリンダー本体部４１に対して回動可能であるカギ穴回動部４２とを有している。
図６、図７に示すごとく、上記カギ穴回動部４２は、その回動方向における初期位置４００にあるときに上記キー４３を上記カギ穴４２１に抜差し可能であると共に、上記カギ穴４２１を設けた端部とは反対側の端部には、上記ロック機構５のロック解除部材５３に係合する回動カム６を有している。上記回動カム６は、この回動カム６を直接付勢するよう設けたカム付勢手段７により、上記カギ穴回動部４２が上記初期位置４００に復帰するよう回動付勢されている。
【００２３】
そして、図１に示すごとく、上記ロック機構５は、上記カギ穴回動部４２が上記初期位置４００にあるときに、上記前枠２１と上記ガラス扉２２との施錠が可能である。
また、図８〜図１０に示すごとく、上記ロック機構５は、上記カギ穴４２１に差し込んだキー４３をいずれかの方向である第１方向４０１に回したときには、上記回動カム６が上記カム付勢手段７による付勢力に抗して回動することにより、上記前枠２１の解錠を行うよう構成されている。
一方で、図１１〜図１３に示すごとく、ロック機構５は、上記カギ穴４２１に差し込んだキー４３を上記第１方向４０１とは逆の第２方向４０２に回したときには、上記回動カム６が上記カム付勢手段７による付勢力に抗して回動することにより、上記ガラス扉２２の解錠を行うよう構成されている。
以下に、これを詳説する。
【００２４】
図１、図３に示すごとく、本例のパチンコ遊技機１は、このパチンコ遊技機１における外枠２０と、この外枠２０の前面側に、この外枠２０に対して開閉可能に配設した上記前枠２１と、この前枠２１の前面側に、この前枠２１に対して開閉可能に配設した上記ガラス扉２２とを有している。上記前枠２１は、遊技領域を備えた遊技盤、パチンコ遊技を制御する各種制御装置及び各種電気部品を配設してなるものである。また、上記ガラス扉２２は、プラスチック製の枠部の内側にガラス板を配設してなるものである。
【００２５】
本例の施錠装置３は、上記前枠２１に配設してなり、前枠２１の後面側に位置する外枠２０に対する前枠２１の施錠及び解錠と、前枠２１の前面側に位置するガラス扉２２の施錠及び解錠とを行うものである。
なお、上記第２の扉は、上記ガラス扉２２とする以外にも、上記前枠２１の前面側においてこの前枠２１に対して開閉可能に配設した球皿ユニットとすることもできる。
【００２６】
図１、図２に示すごとく、本例のロック機構５は、固定部材５０と、この固定部材５０に対して移動可能に設けて上記前枠２１の施錠が可能である第１ロック部材５１と、上記固定部材５０に対して移動可能に設けて上記ガラス扉２２の施錠が可能である第２ロック部材５２とを有している。また、ロック機構５は、上記回動カム６に係合して上記固定部材５０に対してスライドすることにより、上記第１ロック部材５１と上記第２ロック部材５２とによる解錠が可能であるロック解除部材５３を有している。
【００２７】
上記固定部材５０は、上記ロック解除部材５３をスライド可能に配設するためのスライド基板部５０５と、このスライド基板部５０５に対して略９０°に屈曲形成し、固定部材５０の剛性を確保するための屈曲部５０６とを有している。
また、上記シリンダー錠４は上記屈曲部５０６に配設されている。
【００２８】
図１、図３に示すごとく、上記ロック機構５は、上記固定部材５０を上記前枠２１に固定し、上記第１ロック部材５１を前枠２１から外枠２０に向けて突出させ、上記第２ロック部材５２を前枠２１から上記ガラス扉２２に向けて突出させて配設されている。
第１ロック部材５１及び第２ロック部材５２は、それぞれ施錠装置３の上下に一対に配設されている。また、本例の第１ロック部材５１及び第２ロック部材５２は、固定部材５０に対して回動することにより、それぞれ前枠２１及びガラス扉２２の施錠及び解錠を行う。
【００２９】
また、図４、図５に示すごとく、第１ロック部材５１は、上記外枠２０に設けた第１被係合部２０１に係合する第１係合部５１１と、当該第１ロック部材５１が回動する際の回動支点を形成する第１回動支点部５１２と、上記ロック解除部材５３が上記第１方向４０１にスライドしたときに、このロック解除部材５３に引っ掛けられる第１被引掛部５１３とを有している。
上記第１被引掛部５１３は、上記第１ロック部材５１において第１係合部５１１を形成した端部とは、上記第１回動支点部５１２を挟んで反対側の端部に形成されている。
【００３０】
上記第１ロック部材５１は、第１ロック付勢手段７１により上記前枠２１を施錠する方向に付勢されている。
本例の第１ロック付勢手段７１は、引っ張ったときに付勢力を作用させる引張りコイルバネ７１である。この引張りコイルバネ７１の一方の端部は上記第１被引掛部５１３に引っ掛けられており、他方の端部は上記固定部材５０に引っ掛けられている。そして、引張りコイルバネ７１は、第１ロック部材５１における第１係合部５１１を、外枠２０に設けた第１被係合部２０１と係合する方向に付勢している。
【００３１】
また、図４、図５に示すごとく、第２ロック部材５２は、上記ガラス扉２２に設けた第２被係合部２２１に係合する第２係合部５２１と、当該第２ロック部材５２が回動する際の回動支点を形成する第２回動支点部５２２と、上記ロック解除部材５３が上記第２方向４０２にスライドしたときに、このロック解除部材５３に引っ掛けられる第２被引掛部５２３とを有している。
上記第２被引掛部５２３は、上記第２ロック部材５２において第２係合部５２１を形成した端部とは、上記第２回動支点部５２２を挟んで反対側の端部に形成されている。
【００３２】
上記第２ロック部材５２は、第２ロック付勢手段７２により上記ガラス扉２２を施錠する方向に付勢されている。本例の第２ロック付勢手段７２もまた、引っ張ったときに付勢力を作用させる引張りコイルバネ７２である。この引張りコイルバネ７２の一方の端部は上記第２ロック部材５２に設けたバネ引掛部５２４に引っ掛けられており、他方の端部は上記固定部材５０に引っ掛けられている。そして、引張りコイルバネ７２は、第２ロック部材５２における第２係合部５２１を、ガラス扉２２に設けた第２被係合部２２１と係合する方向に付勢している。
【００３３】
図４〜図６に示すごとく、上記回動カム６は、金属板から形成されており、上記カギ穴回動部４２における上記カギ穴４２１を設けた端部とは反対側の端部に固定されている。この回動カム６は、円盤状のカム本体部６０と、このカム本体部６０の外周方向へ突出形成した第１係合爪６１及び第２係合爪６２とを有している。
第１係合爪６１は、上記カギ穴４２１に差し込んだキー４３を上記第１方向４０１に回したときに、上記ロック解除部材５３に係合してこのロック解除部材５３を一方のスライド方向である第１スライド方向５０１にスライドさせるものである。また、第２係合爪６２は、上記カギ穴４２１に差し込んだキー４３を上記第２方向４０２に回したときに、上記ロック解除部材５３に係合してこのロック解除部材５３を上記第１スライド方向５０１とは逆の第２スライド方向５０２にスライドさせるものである。
【００３４】
図４〜図６に示すごとく、上記ロック解除部材５３は、上記第１係合爪６１に係合する第１係合穴５３１と、上記第２係合爪６２に係合する第２係合穴５３２と、上記第１ロック部材５１における第１被引掛部５１３を引っ掛ける第１引掛部５３３と、上記第２ロック部材５２における第２被引掛部５２３を引っ掛ける第２引掛部５３４とを有している。第１引掛部５３３及び第２引掛部５３４は、上記上下一対に形成した各ロック部材５１、５２に対応して、上記ロック解除部材５３の上下一対に形成されている。
【００３５】
図５、図６に示すごとく、上記シリンダー錠４のカギ穴回動部４２が上記初期位置４００にあるときには、上記回動カム６の各係合爪６１、６２は、上記ロック解除部材５３の各係合穴５３１、５３２に挿入されておらず、ロック解除部材５３から離れた位置にある。そして、ロック解除部材５３は、シリンダー錠４のカギ穴回動部４２が初期位置４００にあるときには、第１係合爪６１及び第２係合爪６２と係合していない。そして、ロック解除部材５３は、上記カギ穴回動部４２が初期位置４００にあり、上記第１ロック部材５１が前枠２１を施錠し、上記第２ロック部材５２が上記ガラス扉２２を施錠する状態においては、上記シリンダー錠４におけるキー４３の操作によらずに、上記第１スライド方向５０１及び第２スライド方向５０２のいずれの方向にもスライド可能になっている。
【００３６】
そして、図１に示すごとく、上記ロック解除部材５３には、これを上記キー４３の操作によらずにスライドさせるときに用いるスライド操作部５３６が形成されている。そして、ロック解除部材５３は、上記スライド操作部５３６を操作することにより、パチンコ遊技機１の裏側からこのパチンコ遊技機１に設けたモータ等のアクチュエータの動作又は管理者の手動操作によってもスライドさせることができ、上記前枠２１及びガラス扉２２の解錠及び施錠を行うことができる。これにより、例えば、遊技場に設けた複数のパチンコ遊技機１における施錠装置３のロック解除部材５３を同時にスライドさせて、各パチンコ遊技機１における前枠２１又はガラス扉２２の解錠又は施錠を同時に行うことができる。
【００３７】
図８〜図１０に示すごとく、上記ロック解除部材５３は、上記回動カム６の第１係合爪６１に係合して、上記第１スライド方向５０１にスライドしたときには、上記第１ロック部材５１を上記第１ロック付勢手段７１による付勢力に抗して移動（回動）させて、上記前枠２１の解錠を行うよう構成されている。
また、図１１〜図１３に示すごとく、ロック解除部材５３は、回動カム６の第２係合爪６２に係合して、上記第２スライド方向５０２にスライドしたときには、上記第２ロック部材５２を上記第２ロック付勢手段７２による付勢力に抗して移動（回動）させて、上記ガラス扉２２の解錠をするよう構成されている。
【００３８】
また、図４、図６、図７に示すごとく、本例のカム付勢手段７は、金属棒を渦巻状に巻いて形成したねじりバネ７である。このねじりバネ７は、拡径又は縮径するようねじられることによって、上記第１方向４０１又は上記第２方向４０２のいずれの方向にも回動した回動カム６を上記カギ穴回動部４２が初期位置４００に復帰するよう回動付勢することができる。
【００３９】
本例のねじりバネ７は、上記カギ穴回動部４２における上記シリンダー錠４から突出した部分の外周に配設されている。また、ねじりバネ７は、シリンダー本体部４１と回動カム６との間に配設されている。
また、ねじりバネ７の一端は、上記シリンダー錠４のシリンダー本体部４１に取り付けられており、他端は、上記回動カム６に取り付けられている。
【００４０】
なお、上記カム付勢手段７としては、上記ねじりバネ７以外にも、種々のバネ部材を用いて構成することができる。例えば、図１４に示すごとく、カム付勢手段７は、上記回動カム６を直接回動付勢するよう設けた一対の引張りバネ７５、７６により構成することができる。
この場合には、一方の引張りバネ７５によりカギ穴回動部４２を上記第２方向４０２に回動付勢し、他方の引張りバネ７６によりカギ穴回動部４２を上記第１方向４０１に回動付勢しておく。
【００４１】
そして、上記カギ穴回動部４２のカギ穴４２１に差し込んだキー４３を上記第１方向４０１に回し、上記回動カム６をこの第１方向４０１に回動させたときには、上記一方の引張りバネ７５により回動カム６を初期位置４００に復帰させることができる。また、上記カギ穴回動部４２のカギ穴４２１に差し込んだキー４３を上記第２方向４０２に回し、上記回動カム６をこの第２方向４０２に回動させたときには、上記他方の引張りバネ７６により回動カム６を初期位置４００に復帰させることができる。
【００４２】
また、図１に示すごとく、上記ロック機構５における固定部材５０には、上記ガラス扉２２の解錠を行った際に、このガラス扉２２をパチンコ遊技機１の前方側に向けて押し出すことができる押圧部材５４が配設されている。
この押圧部材５４は、ガラス扉２２の押圧を行う押圧部５４１と、回動するときの回動支点になる回動支点部５４２と、上記ロック解除部材５３が上記第２スライド方向５０２にスライドしたときにこのロック解除部材５３に設けた第３引掛部５３５に引っ掛けられる第３被引掛部５４３とを有している。
【００４３】
また、押圧部材５４は、引張りバネ７３によりガラス扉２２から離れる方向である後退方向に引張り付勢されている。そして、図１３に示すごとく、ロック解除部材５３が第２スライド方向５０２にスライドしたときには、押圧部材５４の第３被引掛部５４３が上記第３引掛部５３５に引っ張られて、押圧部材５４は、上記ガラス扉２２を前方に押し出すことができる。
【００４４】
図６、図７に示すごとく、本例の施錠装置３においては、上記前枠２１とガラス扉２２とを施錠した状態においては、上記回動カム６は、上記カム付勢手段７によって上記初期位置４００に回動付勢されている。そして、この状態においては、回動カム６を固定したカギ穴回動部４２が初期位置４００に維持されており、このカギ穴回動部４２におけるカギ穴４２１にいつでも上記キー４３を差し込むことができる状態が保持されている。
【００４５】
また、図１に示すごとく、上記施錠状態においては、上記ロック機構５は、上記第１ロック部材５１により上記前枠２１の施錠を行い、上記第２ロック部材５２により上記ガラス扉２２の施錠を行っている。そして、第１ロック部材５１及び第２ロック部材５２は、それぞれ直接上記第１ロック付勢手段７１及び第２ロック付勢手段７２によって、前枠２１及びガラス扉２２を施錠する方向に付勢されており、前枠２１及びガラス扉２２の施錠状態を安定して維持することができる。
【００４６】
そして、前枠２１を開けて制御装置等のメンテナンスが必要になったとき、あるいはガラス扉２２を開けて遊技盤等のメンテナンスが必要になったときには、遊技機の管理者は、上記初期位置４００に維持されたカギ穴回動部４２におけるカギ穴４２１に容易にキー４３を差し込むことができる。
【００４７】
そして、図８に示すごとく、管理者が、前枠２１を開けるときには、上記カギ穴４２１に差し込んだキー４３を上記第１方向４０１に回す。このとき、カギ穴回動部４２に固定した回動カム６が上記カム付勢手段７による付勢力に抗して回動し、回動カム６における第１係合爪６１が、上記ロック解除部材５３における第１係合穴５３１に係合して、このロック解除部材５３を第１スライド方向５０１にスライドさせる。
【００４８】
そして、図９に示すごとく、ロック解除部材５３における第１引掛部５３３が、上記第１ロック部材５１における第１被引掛部５１３を引っ掛けて、この第１ロック部材５１を、第１ロック付勢手段７１による付勢力に抗して、その第１回動支点部５１２を中心に回動させる。
そして、図１０に示すごとく、第１ロック部材５１における第１係合部５１１の外枠２０の第１被係合部２０１への係合状態が解除されて、前枠２１の解錠を行うことができる。こうして、管理者は、前枠２１を外枠２０に対して開けることができる。
【００４９】
一方で、図１１に示すごとく、管理者が、ガラス扉２２を開けるときには、上記カギ穴４２１に差し込んだキー４３を上記第２方向４０２に回す。このとき、カギ穴回動部４２に固定した回動カム６が上記カム付勢手段７による付勢力に抗して回動し、回動カム６における第２係合爪６２が、上記ロック解除部材５３における第２係合穴５３２に係合して、このロック解除部材５３を第２スライド方向５０２にスライドさせる。
【００５０】
そして、図１２に示すごとく、ロック解除部材５３における第２引掛部５３４が、上記第２ロック部材５２における第２被引掛部５２３を引っ掛けて、この第２ロック部材５２を、第２ロック付勢手段７２による付勢力に抗して、その第２回動支点部５２２を中心に回動させる。
そして、図１３に示すごとく、第２ロック部材５２における第２係合部５２１のガラス扉２２の第２被係合部２２１への係合状態が解除されて、ガラス扉２２の解錠を行うことができる。こうして、管理者は、ガラス扉２２を前枠２１に対して開けることができる。
【００５１】
そして、管理者は、前枠２１又はガラス扉２２の解錠をして各メンテナンスを行った後には、再び前枠２１又はガラス扉２２を閉じることにより、各ロック部材５１、５２による前枠２１又はガラス扉２２の施錠を行うことができる。そして、管理者が上記キー４３を意識して回してカギ穴回動部４２を初期位置４００に戻さなくても、カム付勢手段７の回動付勢力により、カギ穴回動部４２を確実に元の初期位置４００に復帰させることができる。そのため、管理者は、上記カギ穴４２１からキー４３を簡単に抜き出すことができる。
【００５２】
このように、本例の施錠装置３においては、上記カム付勢手段７が上記回動カム６を直接回動付勢していることにより、上記カギ穴回動部４２を回動させた後にはこれを確実に元の初期位置４００に復帰させることができ、このカギ穴回動部４２を確実に上記キー４３の抜き差しが可能な初期位置４００に維持しておくことができる。
それ故、本例の施錠装置３によれば、上記シリンダー錠４に対して上記キー４３を抜差しすることが容易であり、上記前枠２１及びガラス扉２２の解錠及び施錠を容易に行うことができる。
【図面の簡単な説明】
【００５３】
【図１】実施例における、パチンコ遊技機における施錠装置を側方から見た状態で示す側面図。
【図２】実施例における、パチンコ遊技機における施錠装置を裏側から見た状態で示す裏面図。
【図３】実施例における、パチンコ遊技機における施錠装置を上方から見た状態で示す上面図。
【図４】実施例における、パチンコ遊技機における施錠装置の上部を側方から見た状態で示す部分側面図。
【図５】実施例における、パチンコ遊技機における施錠装置の上部を裏側から見た状態で示す部分断面説明図。
【図６】実施例における、パチンコ遊技機における施錠装置の回動カムの周辺を裏側から見た状態で示す部分拡大断面説明図。
【図７】実施例における、パチンコ遊技機における施錠装置のカム付勢手段の周辺を裏側から見た状態で示す部分拡大断面説明図。
【図８】実施例における、パチンコ遊技機における施錠装置のシリンダー錠のキーを第１方向に回した状態の回動カムの周辺を裏側から見た状態で示す部分拡大断面説明図。
【図９】実施例における、ロック解除部材が第１スライド方向にスライドし、第１ロック部材が回動した状態のパチンコ遊技機における施錠装置の上部を側方から見た状態で示す部分側面図。
【図１０】実施例における、ロック解除部材が第１スライド方向にスライドし、第１ロック部材が回動して、前枠の解錠を行った状態のパチンコ遊技機における施錠装置を側方から見た状態で示す側面図。
【図１１】実施例における、パチンコ遊技機における施錠装置のシリンダー錠のキーを第２方向に回した状態の回動カムの周辺を裏側から見た状態で示す部分拡大断面説明図。
【図１２】実施例における、ロック解除部材が第２スライド方向にスライドし、第２ロック部材が回動した状態のパチンコ遊技機における施錠装置の上部を側方から見た状態で示す部分側面図。
【図１３】実施例における、ロック解除部材が第２スライド方向にスライドし、第２ロック部材が回動して、ガラス扉の解錠を行った状態のパチンコ遊技機における施錠装置を側方から見た状態で示す側面図。
【図１４】実施例における、カム付勢手段に一対の引張りバネを用いた場合のパチンコ遊技機における施錠装置の回動カムの周辺を裏側から見た状態で示す部分拡大断面説明図。
【符号の説明】
【００５４】
１  パチンコ遊技機
２０  外枠
２１  前枠
２２  ガラス扉
３  施錠装置
４  シリンダー錠
４００  初期位置
４０１  第１方向
４０２  第２方向
４１  シリンダー本体部
４２  カギ穴回動部
４２１  カギ穴
４３  キー
５  ロック機構
５０１  第１スライド方向
５０２  第２スライド方向
５０  固定部材
５１  第１ロック部材
５２  第２ロック部材
５３  ロック解除部材
６  回動カム
６１  第１係合爪
６２  第２係合爪
７  カム付勢手段
７１  第１ロック付勢手段
７２  第２ロック付勢手段
【図１】
2005027888.tif 000003
【図２】
2005027888.tif 000004
【図３】
2005027888.tif 000005
【図４】
2005027888.tif 000006
【図５】
2005027888.tif 000007
【図６】
2005027888.tif 000008
【図７】
2005027888.tif 000009
【図８】
2005027888.tif 000010
【図９】
2005027888.tif 000011
【図１０】
2005027888.tif 000012
【図１１】
2005027888.tif 000013
【図１２】
2005027888.tif 000014
【図１３】
2005027888.tif 000015
【図１４】
2005027888.tif 000016